(57)【要約】【課題】車両の諸機器に外気を直接当て冷却することで、諸機器の耐久性向上および、走行空気抵抗を低減させて走行燃費の低減を図った車両のアンダーカバー構造の提供を目的とする。【解決手段】フロントアンダーカバー２は、該フロントアンダーカバー２の前端部にエンジン７１のラジエータ７３への外気を取入れる第１外気取入口２ａを有し、  リヤアンダーカバー３は、該リヤアンダーカバー３の前端部に設けられた第２外気取入口３１ａと、第２外気取入口３１ａから取入れた外気を車両上方へ向けて流す第２傾斜面部３２とを有していることを特徴とする。【選択図】図２
2015123791.tif 000002
【特許請求の範囲】
【請求項１】
車両の床下に、前輪より前方側のフロントアンダーカバーと、該フロントアンダーカバーに連続して後輪側へ延在するリヤアンダーカバーとが夫々配設された車両のアンダーカバー構造であって、
前記フロントアンダーカバーは、該フロントアンダーカバーの前端部に外気を取入れる第１外気取入口を有し、
前記リヤアンダーカバーは、該リヤアンダーカバーの前端部に設けられた第２外気取入口と、前記第２外気取入口から取入れた外気を車両上方へ向けて流す傾斜面部とを有していることを特徴とする車両のアンダーカバー構造。
【請求項２】
前記傾斜面部は、前記車両に搭載されたエンジンの車両前後方向後部に位置している前記車両のシャシフレームを構成するクロスメンバ部分の後方近傍に配置されていることを特徴とする請求項１に記載の車両のアンダーカバー構造。
【請求項３】
前記リヤアンダーカバーには、前記クロスメンバ側へ上方に突出して、前記クロスメンバの下面に取付けられる取付座を備え、前記クロスメンバの下面と前記リヤアンダーカバーとの間に隙間部を設けるようにしたことを特徴とする請求項２に記載の車両のアンダーカバー構造。
【請求項４】
前記クロスメンバの車両前後方向前端部には、前記第２外気取入口から取入れた外気を、車両後方側へ導くガイドフィンが配設されていることを特徴とする請求項２または３のいずれかに記載の車両のアンダーカバー構造。
【請求項５】
前記リヤアンダーカバーは、前記傾斜面部の後端に連続して整流面部を備え、該整流面部は、前記エンジンの後方に配置されるトランスミッションの下方を覆うように配置されていることを特徴とする請求項１乃至４のいずれか１項に記載の車両のアンダーカバー構造。
【請求項６】
前記フロントアンダーカバーは板金製であり、前記リヤアンダーカバーは樹脂製であることを特徴とする請求項１乃至５のいずれか１項に記載の車両のアンダーカバー構造。
【発明の詳細な説明】
【技術分野】
【０００１】
本発明は、車体構造に関し、特に、車両の空気抵抗を小さくすると共に、エンジン等から放散される騒音を遮断する車両のアンダーカバー構造に関する。
【背景技術】
【０００２】
車両においては、車体に突出部、窪み、隙間等があると、当該部を流れてくる気流に乱れが生じて、車両の走行抵抗が大きくなり、車両の走行燃費に影響を与えることが知られている。
車両に発生する気流の乱れは、車両の床下にも同様に発生する。
即ち、車両の床下には、エンジン、トランスミッション、排気管等の車両を運転するための諸機器が配置されており、これらの機器に直接走行風が当たると、走行抵抗が増大する。
また、車両にはエンジンから放散される騒音を遮蔽するため、平滑面を有したアンダーカバーを装着することにより、走行時の空気抵抗を低減できることが知られている。
【０００３】
ところが、エンジン、トランスミッション、排気管等は発熱するため熱を放散させて冷却する必要がある。
アンダーカバーを装着することで、これら諸機器に走行風が直接当たらないので、これら諸機器の冷却効率が低下する不具合が生じていた。
この不具合を改善するための技術として特許文献１が開示されている。
【０００４】
特許文献１によると、冷却風取入口から取入れられてエンジン等の被冷却機器を冷却する冷却風を排出する排出口が形成され、車体の下面部に配設される車両用アンダーカバーにおいて、排出口の車体前方に配設され、車体前方を頂点として車体後方に向かい徐々に拡開する導風路を有し、排出口に配設されて車体前部の下面部から車体下方に突出する排気管に対して、車両の走行風を導風路を介して排出口に導き、冷却風を車体後方に導くガイド部を備えた技術が開示されている。
【０００５】
このようにすることで、車体内に導入された冷却風が排出される排出口に対して、車体前方から徐々に拡開する車両用アンダーカバーに形成された導風路を介して走行風を導くことにより、路面方向に噴出される冷却風を車体後方に導くことができる。
その結果、排出口から排出される冷却風による空気抵抗を低減できると共に、排出口に配設された排気管を効果的に冷却することができる技術である。
【先行技術文献】
【特許文献】
【０００６】
【特許文献１】特開２０１１−１８９７７０号公報
【発明の概要】
【発明が解決しようとする課題】
【０００７】
特許文献１によると、導風路を介して取入れた走行風で、ラジエータを通過した高い温度の気流を車体後方に流すことにより、車両の走行抵抗低減と排気管を冷却する技術である。
従って、ラジエータを通過した温度の高い気流は、温度が特別高い排気管の冷却には効果を得ることができるが、トランスミッション及び他の電子素子等を使用している諸機器に対しては十分な冷却効果を得られない不具合を有している。
【０００８】
本発明はかかる技術的課題に鑑み、車両の諸機器に外気を直接当て冷却することで、諸機器の耐久性向上および、走行空気抵抗を低減させて走行燃費の低減を図った車両のアンダーカバー構造の提供を目的とする。
【課題を解決するための手段】
【０００９】
本発明は、かかる課題を解決するため、車両の床下に、前輪より前方側のフロントアンダーカバーと、該フロントアンダーカバーに連続して後輪側へ延在するリヤアンダーカバーとが夫々配設された車両のアンダーカバー構造であって、
前記フロントアンダーカバーは、該フロントアンダーカバーの前端部に外気を取入れる第１外気取入口を有し、
前記リヤアンダーカバーは、該リヤアンダーカバーの前端部に設けられた第２外気取入口と、前記第２外気取入口から取入れた外気を車両上方へ向けて流す傾斜面部とを有していることを特徴とする車両のアンダーカバー構造を提供できる。
【００１０】
かかる発明によれば、ラジエータを通過した空気とは別の外気をリヤアンダーカバーの第２外気取入口から導入するようにしたので、アンダーカバー内の空気の滞留を防止すると共に、第２外気取入口から取入れた外気によって、アンダーカバー内の空気温度を下げることにより、エンジン装着部品およびトランスミッション等の冷却を促進させ、それらの部品の耐久性向上を図る効果が得られる。
更に、車両上方へ傾斜した傾斜面部を備えたことにより、第２外気取入口から取入れた外気は、傾斜面部に沿って上方へ流れるので、傾斜面部の後方に位置するトランスミッション及び電子素子等を使用している諸機器に対しての冷却を効果的に行うことができ、これらの耐久性向上効果が得られる。
【００１１】
また本発明において好ましくは、前記傾斜面部は、前記車両に搭載されたエンジンの車両前後方向後部に位置している前記車両のシャシフレームを構成するクロスメンバ部分の後方近傍に配置されているとよい。
【００１２】
このような構成にすることにより、エンジン後部に位置したクロスメンバ部分の後方近傍部分に傾斜面部を配置することで、第２外気取入口から取入れた外気が、トランスミッションに向けて流れるようになる。
従って、トランスミッション及び電子素子等を使用している諸機器に対しての冷却効果が更に向上し、これらトランスミッション及び電子素子等を使用している諸機器の耐久性向上効果が得られる。
【００１３】
また本発明において好ましくは、前記リヤアンダーカバーには、前記クロスメンバ側へ上方に突出して、前記クロスメンバの下面に取付けられる取付座を備え、前記クロスメンバの下面と前記リヤアンダーカバーとの間に隙間部を設けるようにするとよい。
【００１４】
このような構成にすることにより、リヤアンダーカバーとクロスメンバの下面との間に隙間部を設けたことにより、第２外気取入口から取入れた外気が、クロスメンバとリヤアンダーカバーとの取付部で堰きとめられることを防止でき、リヤアンダーカバー内の気流の流れが改善される。
【００１５】
また本発明において好ましくは、前記クロスメンバの車両前後方向前端部には、前記第２外気取入口から取入れた外気を、車両後方側へ導くガイドフィンが配設されているとよい。
【００１６】
このような構成にすることにより、クロスメンバの前端部に車両後方側へ導くガイドフィンを配設することで、第２外気取入口から取入れた外気のアンダーカバー内における流動抵抗が低減され、第２外気取入口から取入れた外気による冷却効果が向上する。
【００１７】
また本発明において好ましくは、前記リヤアンダーカバーは、前記傾斜面部の後端に連続して整流面部を備え、該整流面部は、前記エンジンの後方に配置されるトランスミッションの下方を覆うように配置されているとよい。
【００１８】
このような構成にすることにより、リヤアンダーカバー内を流れてくる気流は、フィンと傾斜面部によってトランスミッション側に導かれ、気流を整流面部によって整流することで、気流の流動抵抗を下げ、トランスミッション及び電子素子等を使用している諸機器の冷却効果を向上させることができる。
【００１９】
また本発明において好ましくは、前記フロントアンダーカバーは板金製であり、前記リヤアンダーカバーは樹脂製であるとよい。
【００２０】
このような構成にすることにより、ＳＵＶが不整地に入る際、又は不整地走行中に、フロントオーバハング部に障害物が衝突しても、フロントアンダーカバーを板金製にすることで、フロントアンダーカバーが車両側の諸機器を保護し、例え変形しても修正が容易である。
また、リヤアンダーカバーは、エンジン及びトランスミッションの騒音の遮断と、トランスミッション及び電子素子等に外気を導く機能を要求しており、樹脂製とすることで成型性に優れ、重量軽減の効果が得られる。
【発明の効果】
【００２１】
かかる発明によれば、車両の諸機器に外気を直接当て冷却することで、諸機器の耐久性向上および、走行空気抵抗を低減させて走行燃費向上を図った車両のアンダーカバー構造を提供することができる。
【図面の簡単な説明】
【００２２】
【図１】本発明の実施形態における車両の概略部分説明図を示す。
【図２】本発明の実施形態における車体下部の概略構成図を示す。
【図３】（Ａ）は図２のＡ−Ａ断面、（Ｂ）は図２のＢ−Ｂ断面図を示す。
【図４】本発明の実施形態における車体下面視図を示す。
【図５】図３のＡ矢視図を示す。
【図６】図３のＢ−Ｂ断面図を示す。
【図７】図３の斜視図を示す。
【図８】本発明の実施形態における整流面部の長さに対するＣＤ値の低減効果を表す説明グラフ図を示す。
【発明を実施するための形態】
【００２３】
以下、本発明に係る実施形態について図面を用いて説明する。
但し、この実施形態に記載されている構成部品の寸法、材質、その相対配置などはとくに特定的な記載がない限り、この発明の範囲をそれのみに限定する趣旨ではなく、単なる説明例にすぎない。
【００２４】
図１は本発明が実施される車両１の部分説明図を示す。
本実施形態においては、前輪および後輪が駆動されるＳＵＶ（Sport  Utility  Vehicle；スポーツ用多目的車）を例にして説明する。
ＳＵＶは、不整地走行を行うため、ランプブレークオーバーアングルが車両要求仕様の一つとなっている。
ランプブレークオーバーアングルとは、車体１２の最下面で且つ前輪１３と後輪１４との中間位置ＣＰと、前輪１３の接地点ＦＰとを結んだ傾斜線ＦＬと、中間位置ＣＰと後輪１４の接地点ＲＰとを結んだ傾斜線ＲＬとの交点における交差角度αを呼称している。
従って、該交差角度αが大きいことは、車体１２の最下面と路面との距離（高さ）が大きく、凹凸の大きい路面においても、路面の凸部に車体１２の一部を衝突させることが少なくなる。
【００２５】
車体１２の最下部には、アンダーカバー１０が装着されている。
アンダーカバー１０は、フロントアンダーカバー２（以後、ＦＲカバー２と略称する）と、該ＦＲカバー２に連続してリヤアンダーカバー３（以後、ＲＲカバー３と略称する）とで構成されている。
本実施形態の場合、ＦＲカバー２は板金製であり、ＲＲカバー３は樹脂の射出成型に形成されている。
ＦＲカバー２は板金製とすることで、不整地突入時、及び不整地走行時に車両側装置品の保護を行うと共に、変形時の修正容易化を図っている。
ＲＲカバー３は樹脂の射出成型にすることで、重量軽減と生産性向上を図っている。
尚、ＦＲカバー２とＲＲカバー３とは、一体的に形成されていても、別体に形成されていてもよい。
【００２６】
図２は、実施形態における車体下部の概略構成図を示す。
車体１２の前部は、エンジンフード１１と、該エンジンフード１１の前端部の下部に配設されたフロントバンパ１５と、該フロントバンパ１５の後端に連続して配設されたＦＲカバー２と、該ＦＲカバー２に連続したＲＲカバー３とでエンジンルームＥＲを形成している。
【００２７】
エンジンルームＥＲには、エンジン（Ｅ／Ｇ）２１と、該エンジン７１の後方にトランスミッション（Ｔ／Ｍ）７２が連結した状態で配設されている。
エンジン７１の前面には、フロントバンパ１５のバンパ開口部１５ａ及び、ＦＲカバー２に設けられた第１外気取入口である外気取入口２ａとからエンジンルームＥＲに取入れられた外気との熱交換によって、エンジン７１を冷却した冷却水を冷却するラジエータ７３が配設されている。
これら、ＦＲカバー２およびＲＲカバー３によってエンジン７１およびトランスミッション（Ｔ／Ｍ）７２の下方を覆うことにより、エンジン７１から放散される騒音を遮断して、該騒音の拡散を防止している。
【００２８】
図３は（Ａ）は、図２のＡ−Ａ断面、（Ｂ）は図２のＢ−Ｂ断面図を示す。
トランスミッション７２は、車両の走行によって内部の潤滑油が高温になり、潤滑油自体の粘性、潤滑性能等が劣化すると共に、オイルシール等の樹脂部材の劣化を招くため、トランスミッション７２全体を冷却する必要がある。
そのため、トランスミッション７２の本体外周部には、複数の放熱フィン２２ａ、２２ｂ、２２ｃ、２２ｄ・・・が配設されている。
【００２９】
図４は車体前部の下方視図、図５は図４のＡ矢視図、図６は図４のＢ−Ｂ断面図および、図７は図４の下方斜視図を示す。
図４に示すように、ＳＵＶの床下には、シャシフレーム５が配設されている。
シャシフレーム５は、車幅方向に間隔を有して且つ、車両前後方向に延在した左右一対のサイドフレーム５１、５２と、サイドフレーム５１、５２間に車両前後方向に間隔を有して配設された複数のクロスメンバとによって、梯子状に構成されている。
【００３０】
そして、シャシフレーム５には、該シャシフレーム５の先端部に配設されるフロントバンパ１５と、エンジン７１の前端部下方に配設される第１クロスメンバ５５と、エンジン後端部下方位置に第２クロスメンバであるフロントサスペンションクロスメンバ５６（以後、フロントサスクロス５６と略称する）と、トランスミッション（Ｔ／Ｍ）７２の下部に配設された第３クロスメンバ５７、更に後方に図示省略のクロスメンバが複数配設されている。
【００３１】
第１クロスメンバ５５は、エンジン７１および、ラジエータ７３等の重量がシャシフレーム５に作用する部分における補強部材となっている。
また、フロントサスクロス５６は、フロントサスペンションのロアアーム６１、６２、エンジン７１および、エンジン７１に連結されたトランスミッション７２の重量がシャシフレーム５に作用する部分における補強部材となっている。
第３クロスメンバ５７は、トランスミッション７２の重量がシャシフレーム５に作用する部分における補強部材となっている。
従って、フロントサスクロス５６は、エンジン７１の後端近傍に位置するようになる。
ＦＲカバー２及びＲＲカバー３は、これらのフロントバンパ１５及び各クロスメンバに取付けられている。
また、シャシフレーム５には、車体１２を載置するための車体取付マウント５８、５９が設けられている。
【００３２】
図４及び図５に示すように、ＦＲカバー２は、前端部がフロントバンパ１５に締結され、後端部が第１クロスメンバ５５に締結されている。
更に、ＦＲカバー２の車幅方向は、左右のサイドフレーム５１、５２の下面まで広がって配設されている。
ＦＲカバー２の前端部は、後方で且つ重力方向下方（車両上下方向下方）へ傾斜した第１傾斜面部２１に格子状に開口された第１外気取入口２ａが配設されている。
ＦＲカバー２には、第１外気取入口２ａの開口下部からラジエータ７３の下部近傍に延在したガイド板２ｂが配設されている。（図２参照）
ガイド板２ｂは、外気取入口２ａから取入れた外気がラジエータ７３に導かれるようにラジエータ７３とＦＲカバー２との間を遮蔽するために配設されている。
ガイド板２ｂは、外気のラジエータ７３側への流通を多くして、冷却水と外気との熱交換効量を向上させるためである。
【００３３】
更に、ＦＲカバー２は、第１傾斜面部２１に連続して且つ、路面に沿って後方へ延在するガード面部２２と、該ガード面部２２に連続して重力方向上方（車両上下方向上方）へ向け傾斜角度β（外角）を有して傾斜したガイド面部２３を有している。
ガイド面部２３は、車両前方からの気流が、該ガイド面部２３の路面側の面に沿って上方へ流れるように形成したものである。
また、ガード面部２２は、車両が不整地走行の際に路面の突起から車両走行用機器類を保護するために設けられている。
ＳＵＶが不整地に入る際、又は不整地走行中に、フロントオーバハング部に障害物が衝突しても、フロントアンダーカバーを板金製にすることで、フロントアンダーカバーが車両側の諸機器を保護し、たとえ変形しても修正が容易である。
従って、ＦＲカバー２は板金で形成されている。
【００３４】
ＦＲカバー２に連続してＲＲカバー３が配設されている。
具体的には下方からＦＲカバー２、ＲＲカバー３、第１クロスメンバ５５の順に締結されており、路面の突起などによって損傷しＲＲカバー３がめくれることがないように締結されている。
ＲＲカバー３は、前端部が第１クロスメンバ５５に締結され、後端部はＲＲカバー３から第３クロスメンバ５７側の上下方向上方側に突出して車幅方向に間隔を有した左右一対の第２取付座３６、３６を介して、第３クロスメンバ５７に締結されている。
【００３５】
更に、ＲＲカバー３の中間部は、第２クロスメンバであるフロントサスクロス５６に、ＲＲカバー３からフロントサスクロス５６側の上下方向上方側に突出して車幅方向に間隔を有した取付座である左右一対の第１取付座３５、３５を介して、フロントサスクロス５６の下面に締結されている。
図６に図４のＢ−Ｂ断面を示すように、ＲＲカバー３とフロントサスクロス５６との隙間Ｄ１（第１取付座による隙間）が設けられている。
また同様に、ＲＲカバー３と第３クロスメンバ５７と隙間Ｄ２（第２取付座による隙間）が設けられている。（図示せず）
【００３６】
図４及び図５に示すように、ＲＲカバー３は、基準面部３１、該基準面部３１に連続して車体側（重力方向上方）に傾斜した傾斜面部である第２傾斜面部３２及び、該第２傾斜面部３２に連続して基準面部３１と略平行に配置された整流面部３３を備えている。
基準面部３１は、車両１の前後方向位置が左右のフロントサスペンションロアアーム６１、６２の中間部で且つ、車幅方向は左右のサイドフレーム５１、５２の下面を覆うように配設されている。
【００３７】
基準面部３１の前側端部には、ガイド面部２３によって重力方向上方にガイドされた気流をＲＲカバー３内（車体側）に導入する複数の第２外気取入口３１ａが設けられている。
第２外気取入口３１ａが設けられている面３１１は、前方から後方へ且つ、下方へ向けて傾斜角度γ（外角）を有して形成されている。
このようにすることで、ガイド面部２３の路面側の面に沿って流れてきた気流（走行風）は、効率よく第２外気取入口３１ａからＲＲカバー３内に導入される。
本実施形態では、第２外気取入口３１ａが設けられている面３１１に角度を設けたが、車両の構造、使用形態によっては、γ＝０度でもよい。
【００３８】
基準面部３１は、エンジン７１の下部を覆うと共に、ＲＲカバー３の重力方向を説明する際の基準となる。
そして、基準面部３１の後部には、左右一対の第１取付座３５によって、ＲＲカバー３とフロントサスクロス５６との隙間部である隙間Ｄ１（図６参照）が形成されている。
【００３９】
また、フロントサスクロス５６の前端部には、上下方向断面が略三角形状を成し、先端部が車両前方に位置したガイドフィン５６ａ（図２参照）が配設されている。
ガイドフィン５６ａは、ＲＲカバー３の車幅方向略全幅に相当する範囲に亘って配設されている。
ガイドフィン５６ａは、第２外気取入口３１ａから取入れた走行風がフロントサスクロス５６によって、流れを阻害されないように、隙間Ｄ１側とフロントサスクロス５６の上面側とに分流させて、気流の流れを増速させている。
増速された気流（走行風）は、第２傾斜面部３２に沿ってトランスミッション７２側に流れるようになっている。
走行風は、図３（Ａ）および（Ｂ）に示すように、トランスミッション７２の本体外周部に配設された複数の放熱フィン２２ａ、２２ｂ、２２ｃ、２２ｄ・・・と熱交換してトランスミッション７２および、他の機器類を冷却する。
【００４０】
既述の通り、フロントサスクロス５６は、エンジン７１の後部に位置するように配設されている。
基準面部３１と第２傾斜面部３２との接続部は、フロントサスクロス５６の後部に位置し、第２傾斜面部３２は、トランスミッション７２方向に傾斜している。
従って、開口部３１ａから取入れた外気は、第２傾斜面部３２の車体側面にガイドされてトランスミッション７２方向に流れるようになる。
【００４１】
本実施形態において、第２傾斜面部３２は、基準面部３１の延長線と第２傾斜面部３２とが成す角度θ（外角）で形成されている。
本実施形態においては、第２傾斜面部３２の角度θは、目標ＣＤ値を得るための限界（最大）角度をθ＝１６°と判断した。
即ち、傾斜角度θ＞１６°になると、基準面部３１の路面側を流れてきた気流は、第２傾斜面部３２から剥離し、渦流を発生させた状態で流れるため、空気抵抗係数（ＣＤ値）が大きくなる。
また、角度θ＜１６°の場合には、第２傾斜面部３２の車体側面を流れてきた気流は、第２傾斜面部３２に沿って流れ、トランスミッション７２側に向かって流れる。
従って、トランスミッション７２及びその周辺機器類を効果的に冷却することができる。
更に、角度θ＜１０°にすると、第２傾斜面部３２の車体側面を流れてきた気流は、トランスミッション７２側に向かって流れる量が少なくなり、トランスミッション７２の冷却効果が低下する。
一方、ＳＵＶの場合においては、基準面部３１と略平行な整流面部３３の地上高が低くなり、ランプブレークオーバーアングルα（図１参照）が小さくなる。
即ちホイールベース（ＷＢ）間における最低地上高が低くなり、不整地における走破性能が低下する。
従って、本実施形態では、車両１の不整地走破性能を確保するため、傾斜面角度θ（外角）は、１０°≦θ≦１６°の範囲が実用範囲として望ましいと判断した。
【００４２】
第２傾斜面部３２の後端部に連続して整流面部３３が配設されている。
整流面部３３は、基準面部３１に略平行で、且つ重力方向上方（車体側）へ高さＨだけ移動した位置に配設されている。
更に、整流面部３３は、ランプブレークオーバーアングルαを構成する傾斜線ＦＬ（ＣＰ−ＦＰ線）より重力方向上方に配設されている。
そして、整流面部３３の後端部は第３クロスメンバ５７側に突出した第２取付座３６、３６を介して締結されている。
従って、第３クロスメンバ５７との間には、図示しない隙間Ｄ２が確保されている。
隙間Ｄ２は、開口部３１ａから流入した気流の一部が、第３クロスメンバ５７の前端側で滞留しないようにして、ＲＲカバー３内の気流の流れをよくするためである。
また、ＲＲカバー３内の気流の流れをよくすることにより、トランスミッション７２、車両側の諸機器を冷却する効果を有する。
【００４３】
ＲＲカバー３には、基準面部３１、第２傾斜面部３２及び整流面部３３に亘ると共に、車幅方向に複数のガイド溝部３７、３７（図６および図７参照）が配設されている。
複数のガイド溝部３７、３７は、ＲＲカバー３の全体剛性の向上と、ＲＲカバー３の表面を流れる気流の車幅方向への分流を抑制して、整流させることで気流の流れ抵抗を小さくする効果を有している。
【００４４】
図８は、傾斜面部及び整流面部を設けない直線的平面形状（従来技術；図１の太い破線）を基準にして、第２傾斜面部３２の傾斜角度θ＝１６度を一定として、整流面部３３の車両前後方向長さを変化させた場合（図１の太い実線）の車両空気抵抗係数（ＣＤ値）の減少量の変化を実験値に基づいて表したものである。
図８は、整流面部３３の車両前後方向長さＬを１００ｍｍ〜５６０ｍｍまで変化させた場合を示す。
実験結果によると、ＣＤ値は、従来技術に対して、整流面部３３を有する全てのＲＲカバー３において下がったが、目標低下量が得られた範囲は、整流面部３３の長さＬが２３０〜５６０ｍｍの範囲であることが判明した。
そのため、整流面部３３の後端部の位置（整流面部３３の長さ）がランプブレークオーバーアングルαを構成する傾斜線ＦＬより上方に位置するように、整流面部３３の長さＬを調整することで、ＣＤ値を下げ、目標ランプブレークオーバーアングルαを確保することができる。
更に、整流面部３３の後端部の位置を傾斜線ＦＬより上方に位置させることで、リヤアンダーカバー３の破損を防止することができる。
【００４５】
尚、既述の通り、第２傾斜面部３２の傾斜角度θ＝１６°を一定として実施した理由は、第２傾斜面部３２の路面側の気流の剥離許容限界値付近である傾斜角度であり、該傾斜角度であれば、第２傾斜面部３２の車体側の気流（第２外気取入口からの気流）は、トランスミッション７２方向へ効果的に向かうことが確認できた。
従って、第２傾斜面部３２の路面側の気流の剥離許容限界値付近である傾斜角度θ＝１６°一定にして試験を実施した。
【００４６】
このようにすることで、ラジエータ７３を通過した空気とは別の外気を、ガイド面部２３によってＲＲカバー３の第２外気取入口３１ａに導くようにしたので、ＲＲカバー３内の空気の滞留を防止すると共に、第２外気取入口３１ａからの外気によって、アンダーカバー１０内の空気の温度を下げることにより、当該部に配設されている車両走行用諸部品の冷却を促進させ、それらの部品の耐久性向上を図る効果が得られる。
更に、エンジン後部と対向する位置で、重力方向上方へ傾斜した第２傾斜面部３２を備えたことにより、第２外気取入口３１ａから取入れた外気は、第２傾斜面部３２に沿って上方へ流れるので、特に、第２傾斜面部３２の後方に位置するトランスミッション７２及び付属機器類の冷却を効果的に行うことができ、トランスミッション７２の耐久性向上効果が得られる。
【００４７】
また、フロントサスクロス５６の後部と対向する位置で、基準面部３１に対し重力方向上方に傾斜した第２傾斜面部３２と、該第２傾斜面部３２に沿って流れた気流を整流する整流面部３３を有することで、トランスミッション７２ランプブレークオーバーアングルαを大きくすることができると共に、ＣＤ値を下げることができ、車両１の不整地走破性能及び、走行燃費の向上が図れる。
更に、ＦＲカバー２及び、ＲＲカバー３によってエンジン７１の下部を覆うことにより、エンジン７１から放散される騒音を遮断することで、車両１の外部に騒音が拡散されるのを防止できる。
【産業上の利用可能性】
【００４８】
車両の不整地走破性能及び、車体の空気抵抗を小さくするＳＵＶ用のアンダーカバー構造に適用できる。
【符号の説明】
【００４９】
１        車両
２        ＦＲカバー（フロントアンダーカバー）
２ａ      第１外気取入口
３        ＲＲカバー（リヤアンダーカバー）
５        シャシフレーム
１０      アンダーカバー
１１      エンジンフード
１２      車体
２１      第１傾斜面部
２２      ガード面部
２３      ガイド面部
３１      基準面部
３１ａ    第２外気取入口
３２      第２傾斜面部（傾斜面部）
３３      整流面部
３４      第２外気取入口
３５      第１取付座（取付座）
３６      第２取付座（取付座）
３７      ガイド溝
５１      サイドフレーム
５２      サイドフレーム
５５      第１クロスメンバ
５６      フロントサスクロス（フロントサスペンションクロスメンバ）
５６ａ    ガイドフィン
５７      第３クロスメンバ
７１      エンジン
７２      トランスミッション
Ｄ１      隙間（隙間部）
【図１】
2015123791.tif 000003
【図２】
2015123791.tif 000004
【図３】
2015123791.tif 000005
【図４】
2015123791.tif 000006
【図５】
2015123791.tif 000007
【図６】
2015123791.tif 000008
【図７】
2015123791.tif 000009
【図８】
2015123791.tif 000010